(57)【要約】  ネットワーク上に格納されたマルチメディアコンテンツを移動電話（１２）及び／又は他のレンダリングデバイス（１４）（例えば、移動電話のアクセサリ）に送信する方法が開示される。一実施形態において、移動電話（１２）及び移動電話のアクセサリ（１４）（例えば、ヘッドセット）は、ネットワークに通信可能に結合される。移動電話（１２）は、ネットワークに関連するデバイス（１０４）からの情報を要求する。移動電話（１２）は、コンテンツサーバ（１０４）からのレンダリング対象情報及びレンダリングデバイス（１４）を選択する。移動電話（１２）は、ネットワークからの情報をネットワークアダプタ（６０）を介して受信するようにレンダリングデバイス（１４）を設定する。移動電話（１２）は、第２のインタフェース（５８）（例えば、Ｂｌｕｅｔｏｏｔｈ）を介してセッション及びレンダリングデバイス（５８）の制御を維持する。
2009543446.tif 000002
【特許請求の範囲】
【請求項１】
ネットワーク上に格納されたマルチメディアコンテンツをレンダリングする方法であって、
１つ以上の関連デバイス（１０４）を含む無線ローカルエリアネットワークにおいて、移動電話（１２）の第１の固有のアドレスを取得する工程と、
前記ネットワークにおいて、第１のインタフェース（６０）を介して前記ネットワークに通信可能に結合され且つ第２のインタフェース（５８）を介して前記移動電話に通信可能に更に接続されるレンダリングデバイス（１４）の第２の固有のアドレスを取得する工程と、
前記移動電話（１２）を介して前記ネットワーク上の前記関連デバイス（１０４）のうちの少なくとも１つからの情報を要求する工程と、
情報に対する前記要求に応答して前記移動電話（１２）が情報を受信する工程と、
レンダリング対象情報を選択する工程と、
前記選択された情報をレンダリングするための前記レンダリングデバイス（１４）を選択する工程と、
前記選択された情報を前記選択されたレンダリングデバイス（１４）上にレンダリングする工程と
を有することを特徴とする方法。
【請求項２】
前記第１の固有のアドレス又は前記第２の固有のアドレスのうちの少なくとも一方は、インターネットプロトコルアドレスであることを特徴とする請求項１に記載の方法。
【請求項３】
前記情報は、前記ネットワーク上で利用可能なサービス及びデバイスのＩＤのいずれか一方または両方を含むことを特徴とする請求項１又は２に記載の方法。
【請求項４】
サービスの前記ＩＤは、コンテンツサーバ（１０４）上に格納されたマルチメディアコンテンツを含むことを特徴とする請求項１乃至３のいずれか１項に記載の方法。
【請求項５】
前記マルチメディアコンテンツは、少なくとも１つの可聴コンポーネントを含むことを特徴とする請求項１乃至４のいずれか１項に記載の方法。
【請求項６】
前記マルチメディアコンテンツは、前記移動電話（１２）上に表示するためのビデオコンポーネントを更に含むことを特徴とする請求項１乃至５のいずれか１項に記載の方法。
【請求項７】
前記レンダリングデバイス（１４）は、無線通信プロトコルを介して前記ネットワークに通信可能に結合されることを特徴とする請求項１乃至６のいずれか１項に記載の方法。
【請求項８】
第２の無線通信プロトコルを介して、制御信号を前記移動電話（１２）から前記レンダリングデバイス（１４）に直接送信する工程を更に含むことを特徴とする請求項１乃至７のいずれか１項に記載の方法。
【請求項９】
前記制御信号は、前記選択されたレンダリング対象情報に少なくとも部分的に基づく前記レンダリングデバイスの設定を含むことを特徴とする請求項１乃至８のいずれか１項に記載の方法。
【請求項１０】
前記レンダリングデバイス（１４）が前記ネットワーク上の１つ以上の関連デバイスにユニバーサルリソースロケータリンクを使用してセッションを開始するように要求する工程を更に含むことを特徴とする請求項１乃至９のいずれか１項に記載の方法。
【請求項１１】
前記レンダリングデバイス（１４）はヘッドセットであることを特徴とする請求項１乃至１０のいずれか１項に記載の方法。
【請求項１２】
ネットワーク上に格納されたマルチメディアコンテンツをレンダリングする方法であって、
１つ以上の関連デバイス（１０４）を含むネットワークの存在をネットワークアダプタ（５２）を有する移動電話（１２）により判定する工程と、
ネットワークが存在する場合は第１の通信モードで動作するようにレンダリングデバイス（１４）を設定し、且つネットワークが検出されない場合は第２の通信モードで動作するように前記レンダリングデバイス（１４）を設定する工程と
を有することを特徴とする方法。
【請求項１３】
前記レンダリングデバイス（１４）は、前記第１の通信モードにおいて、前記ネットワークと関連するアクセスポイント（１０８）から直接提供されるマルチメディアコンテンツをレンダリングするように設定されていることを特徴とする請求項１２に記載の方法。
【請求項１４】
前記マルチメディアコンテンツは、無線アダプタ（６０）を介して前記レンダリングデバイスに提供されることを特徴とする請求項１２又は１３に記載の方法。
【請求項１５】
前記レンダリングデバイス（１４）は、前記第２の通信モード（５８）において、前記移動電話（１２）から提供される前記マルチメディアコンテンツをレンダリングするように設定されていることを特徴とする請求項１２乃至１４のいずれか１項に記載の方法。
【請求項１６】
前記マルチメディアコンテンツは、第２の無線アダプタ（５８）を介して前記レンダリングデバイス（１４）に提供されることを特徴とする請求項１２乃至１５のいずれか１項に記載の方法。
【請求項１７】
関連するマルチメディアコンテンツをレンダリングする前に、前記第１の通信モード及び前記第２の通信モードにおいて前記移動電話（１２）により前記レンダリングデバイス（１４）を設定する工程を更に含むことを特徴とする請求項１２乃至１６のいずれか１項に記載の方法。
【発明の詳細な説明】
【技術分野】
【０００１】
本発明は、マルチメディアストレージソースと移動電話及び／又は移動電話のアクセサリ（例えば、ヘッドセット）との間でマルチメディアコンテンツをレンダリングするシステム及び方法に関する。
【背景技術】
【０００２】
移動電話は、音声のみの電子デバイスからはじまり多機能の電子デバイスへと進歩してきた。例えば現在、移動電話は電子オーガナイザ、デジタルカメラ、オーディオアプリケーション（例えば、ＭＰ３プレーヤ）、ビデオアプリケーション（例えば、ビデオプレーヤ）、テレビゲーム端末等として機能する。更に移動電話は、音声通信のために使用されるだけでなく種々の他の形態（例えば、インスタントメッセージングアプリケーション、写真の共有、インターネット上の情報へのアクセス権の取得等）でも使用される。
【０００３】
移動電話が進歩するにつれて、移動電話のアクセサリも増加してきた。例えば、初期の移動電話の場合、ユーザは、使用中に口及び耳の近くに電話機を保持する必要があった。その後、移動電話に接続される有線イヤホン及びマイクが開発された。有線イヤホンにより、ユーザは、使用中に手で移動電話を保持する必要がなくなった。また、無線でハンズフリーという便利さをユーザに提供する無線ヘッドセットも開発された。
【０００４】
ヘッドセットと移動電話とで共通に使用される無線インタフェースは「Ｂｌｕｅｔｏｏｔｈ」技術と呼ばれる。Ｂｌｕｅｔｏｏｔｈは、パーソナルコンピュータ、コードレス電話、ヘッドセット、プリンタ、パーソナルデジタルアシスタント（「ＰＤＡ」）等の種々の電子デバイス間の無線伝送を標準化するために設計された技術仕様を基準としている。Ｂｌｕｅｔｏｏｔｈは「仮想ケーブル」として動作し、それにより１つの電子デバイスは別の電子デバイスと容易に通信することができる。
【０００５】
Ｂｌｕｅｔｏｏｔｈは、データパケットの干渉を低減させるために１６００ホップ／秒の速度で２．４５ＧＨｚスペクトルに拡散する周波数ホッピングスペクトラム拡散を使用して動作する。３Ｍｂｐｓより速いデータ転送速度がその後の規格のバージョンで提案されているが、Ｂｌｕｅｔｏｏｔｈデバイスの場合、公称リンク範囲は１０ｍであり、全体のデータ転送速度は最大３Ｍｂｐｓである。Ｂｌｕｅｔｏｏｔｈは、音声に対する同期接続（「ＳＣＯ」）リンク及びパケットデータに対する非同期接続（「ＡＣＬ」）リンクの双方をサポートしている。
【０００６】
現在、無線ローカルエリアネットワーク（「ＷＬＡＮ」）は、日常生活において広く普及している。そのようなＷＬＡＮは、通常、多くの公共領域（いわゆる「ホットスポット」又は「ホットゾーン」）、並びに自宅及びオフィス環境において利用可能である。一般にＷＬＡＮは、１つ以上のＩＥＥＥ規格（例えば、８０２．１１ａ、８０２．１１ｂ、８０２．１１ｇ等）に準拠し、認証及びリンクレベルセキュリティ手順によりアクセスを制限するか又はオープンアクセスを提供する構成を容易に実現することができる。
【０００７】
一般にエンドユーザは、固定デバイス、携帯デバイス又は完全な移動デバイスの取り外し可能な構成要素又は完全に組み込まれた構成要素として実現されるＷＬＡＮアダプタを介してＷＬＡＮにアクセスする。デスクトップコンピュータにおけるそのような実現例としては、ＩＳＡ又はＰＣＩカード、並びに外部の又は取り外し可能なＵＳＢアダプタが挙げられる。ラップトップコンピュータに対する典型的な実現例としては、取り外し可能なＰＣＭＣＩＡカード又は組込みＰＣＩＥｘｐｒｅｓｓ又はＵＳＢアダプタが挙げられ、ＰＤＡ及び携帯電話に対する典型的な実現例としては、取り外し可能なＳＤカード又は組込みＵＳＢ又はＳＤＩＯ相互接続が挙げられる。更に物理ＷＬＡＮアダプタは、通常、デバイスのオペレーティングシステムがアダプタを管理すること及びエンドユーザの利益となるように種々のアプリケーションにより使用される無線ネットワークへの透過的な接続を作成することを可能にするソフトウェア（「ドライバ」）を有する。
【０００８】
移動電話と移動電話機器（例えば、ヘッドセット、ハンズフリーキット等）との間の通信を容易にするための従来の方法によれば、一般に、移動電話から直接信号を受信できる。そのような直接通信は、移動電話の機能性及び２つ以上のタスクに対して移動電話を使用するユーザの能力を制限し、且つ移動電話のバッテリ寿命を制限する。
【発明の概要】
【発明が解決しようとする課題】
【０００９】
多くの場合、移動電話のユーザが移動電話のアクセサリの機能性を全て利用し、無線ローカルエリアネットワーク、ワイドエリアネットワーク又はパーソナルエリアアクセス技術（例えば、無線ローカルエリアネットワーク、セルラネットワーク、ＷｉＭａｘ、ウルトラワイドバンドネットワーク等）に格納された情報へのアクセス権が得られることが望ましい。従って、そのようなネットワーク上にリモートに格納された情報を移動電話及び／又は移動電話のアクセサリによりレンダリングするシステム及び方法が強く望まれている。
【課題を解決するための手段】
【００１０】
本発明の１つの面は、ネットワーク上に格納されたマルチメディアコンテンツをレンダリングする方法に関する。当該方法は、１つ以上の関連デバイスを含む無線ローカルエリアネットワークにおいて、移動電話の第１の固有のアドレスを取得する工程と、ネットワークにおいて、第１のインタフェースを介してネットワークに通信可能に結合され且つ第２のインタフェースを介して移動電話に通信可能に更に接続されるレンダリングデバイスの第２の固有のアドレスを取得する工程と、移動電話を介してネットワーク上の関連デバイスのうち少なくとも１つからの情報を要求する工程と、情報に対する要求に応答して移動電話により情報を受信する工程と、レンダリング対象情報を選択する工程と、選択された情報をレンダリングするためのレンダリングデバイスを選択する工程と、選択された情報を選択されたレンダリングデバイス上にレンダリングする工程とを有する。
【００１１】
本発明の１つの面によると、第１の固有のアドレス又は第２の固有のアドレスの少なくとも一方はインターネットプロトコルアドレスである。
【００１２】
本発明の１つの面によると、情報はネットワーク上で利用可能なサービス及び／又はデバイスのＩＤを含む。
【００１３】
本発明の１つの面によると、サービスのＩＤはコンテンツサーバ上に格納されたマルチメディアコンテンツを含む。
【００１４】
本発明の１つの面によると、マルチメディアコンテンツは少なくとも１つの可聴コンポーネントを含む。
【００１５】
本発明の１つの面によると、マルチメディアコンテンツは移動電話上に表示するためのビデオコンポーネントを更に含む。
【００１６】
本発明の１つの面によると、レンダリングデバイスは無線通信プロトコルを介してネットワークに通信可能に結合される。
【００１７】
本発明の１つの面によると、制御信号は、第２の無線通信プロトコルを介して移動電話からレンダリングデバイスに直接送信される。
【００１８】
本発明の１つの面によると、制御信号は、選択されたレンダリング対象情報に少なくとも部分的に基づくレンダリングデバイスの設定を含む。
【００１９】
本発明の１つの面によると、第２の無線通信プロトコルはＢｌｕｅｔｏｏｔｈ対応プロトコルである。
【００２０】
本発明の１つの面によると、レンダリングデバイスは、ネットワーク上の１つ以上の関連デバイスにユニバーサルリソースロケータリンクを使用してセッションを開始するように要求する。
【００２１】
本発明の１つの面によると、移動電話及び／又はレンダリングデバイスの少なくとも一方は、情報に対する要求に応答して情報を受信する前に、ネットワーク上の１つ以上のデバイスにより認証される。
【００２２】
本発明の１つの面によると、レンダリングデバイスはヘッドセットである。
【００２３】
本発明の１つの面は、ネットワーク上に格納されたマルチメディアコンテンツをレンダリングする方法に関する。当該方法は、１つ以上の関連デバイスを含むネットワークの存在をネットワークアダプタを有する移動電話により判定する工程と、ネットワークが存在する場合は第１の通信モードで動作するようにレンダリングデバイスを設定し且つネットワークが検出されない場合は第２の通信モードで動作するようにレンダリングデバイスを設定する工程とを有する。
【００２４】
本発明の１つの面によると、レンダリングデバイスは、第１の通信モードにおいて、ネットワークと関連するアクセスポイントから直接提供されるマルチメディアコンテンツをレンダリングするように設定される。
【００２５】
本発明の１つの面によると、マルチメディアコンテンツは、無線アダプタを介してレンダリングデバイスに提供される。
【００２６】
本発明の１つの面によると、無線アダプタは８０２．１１対応通信プロトコルを介してネットワークと通信する。
【００２７】
本発明の１つの面によると、レンダリングデバイスは、第２の通信モードにおいて、移動電話から提供されるマルチメディアコンテンツをレンダリングするように設定される。
【００２８】
本発明の１つの面によると、マルチメディアコンテンツは、第２の無線アダプタを介してレンダリングデバイスに提供される。
【００２９】
本発明の１つの面によると、無線アダプタはＢｌｕｅｔｏｏｔｈアダプタである。
【００３０】
本発明の１つの面によると、関連するマルチメディアコンテンツをレンダリングする前に、レンダリングデバイスは、移動電話によって第１の通信モード及び第２の通信モードに設定される。
【００３１】
本発明の１つの面は、ネットワーク上に格納されたマルチメディアコンテンツをレンダリングする方法に関する。方法は、ネットワークにおいて、第１のインタフェースを介してネットワークに通信可能に結合され且つ第２のインタフェースを介して移動電話に通信可能に更に接続されるレンダリングデバイスの固有のアドレスを取得する工程と、移動電話を介してネットワーク上の関連デバイスのうち少なくとも１つからの情報を要求する工程と、情報に対する要求に応答して移動電話により情報を受信する工程と、ネットワークから直接受信された情報をレンダリングデバイス上にレンダリングする工程とを有する。
【００３２】
本発明の他のシステム、デバイス、方法、特徴及び利点は、以下の図面及び詳細な説明を考察することにより当業者には明らかとなるだろう。そのような全ての追加のシステム、方法、特徴及び利点が本明細書内に含まれ、本発明の範囲内にあり且つ添付の請求の範囲により保護されることを意図している。
【００３３】
用語「備える」は、本明細書において使用される場合、記載される特徴、数字、ステップ又は構成要素の存在を特定するために使用されるが、１つ以上の他の特徴、数字、ステップ、構成要素又はそれらの集合の存在又は追加を除外するものではないことは言うまでもない。
【００３４】
用語「電子機器」は、携帯無線通信機器を含む。以下において移動無線端末と呼ばれる「携帯無線通信機器」という用語は、移動電話、ページャ、通信機、すなわち電子オーガナイザ、パーソナルデジタルアシスタント（ＰＤＡ）、携帯通信装置又はスマートフォン等の全ての機器を含む。
【図面の簡単な説明】
【００３５】
【図１】図１は、本発明の面に係る移動電話及びレンダリングデバイスを示すブロック図である。
【図２】図２は、本発明の面に係る移動電話及びレンダリングデバイスを示す概略図である。
【図３】図３は、本発明の面に係る無線ネットワークを示すブロック図である。
【図４】図４は、本発明の面に係るサーバを示す概略図である。
【図５】図５は、本発明の面に係る方法を示すフローチャートである。
【発明を実施するための形態】
【００３６】
本発明は、ネットワーク系コンテンツをネットワークから移動電話及び／又はレンダリングデバイス（例えば、移動電話のアクセサリ）に送信するシステム及び方法に関する。主に移動電話に関して本発明を説明する。しかし、本発明は、移動電話のみに関連することを意図したものではなく、任意の種類の電子機器に関連することは理解されよう。本発明の面から利益が得られる他の種類の電子機器として、少なくともオーディオ再生機能又はオーディオ再生機能の他にビデオ再生機能を有する再生デバイスが含まれる。好適な再生デバイスには、ＭＰ３プレーヤ、ＣＤプレーヤ及びＤＶＤプレーヤが含まれる。
【００３７】
図１に、本発明に係る電子機器アセンブリ１０を示す。図示される電子機器アセンブリ１０は、電子機器１２及び無線結合された電子機器アクセサリ１４を含む。好適な実施形態における電子機器１２は移動電話であり、移動電話１２として示されている。なお、移動電話１２は「ストレート」型筺体１６を有するものとして示されているが、折りたたみ型筺体又はスライド型筺体等の他の種類の筺体が本発明の範囲を逸脱せずに利用されてもよいことは理解されよう。
【００３８】
好適な実施形態における電子機器アクセサリ１４は、ヘッドセットの形態のレンダリングデバイスであり、ヘッドセット１４として示されている。ヘッドセット１４は、無線リンクを介して移動電話１２とオーディオデータを交換する、耳に固定可能なスピーカ／マイクアセンブリとして示されている。本明細書で説明する信号を受信するように動作可能な任意のレンダリングデバイスには、本発明の範囲内に含まれることは当業者には理解されよう。例えば、適切なレンダリングデバイスは、ヘッドホン、イヤホン、スピーカ、テレビ及びステレオ等が含まれる。
【００３９】
本明細書においては説明の目的で、例えば本明細書に参考として全ての内容が取り入れられている２００４年１１月４日のSpecification of the Bluetooth System, Covered Core Package version 2.0 + EDRに従うＢｌｕｅｔｏｏｔｈプロトコルを使用して、移動電話１２とヘッドセット１４との間の無線リンクが確立される。移動電話１２及び／又はヘッドセット１４にデータを送信するために、他の適切な無線インタフェース（例えば、無線周波数、８０２．１１対応プロトコル、赤外線等）が更に使用されてもよい。
【００４０】
移動電話１２は、ディスプレイ１８を含む。ディスプレイ１８は、ユーザに動作状態、時刻、電話番号、連絡先情報、種々のナビゲーションメニュー等の情報を表示する。これにより、ユーザは移動電話１２の種々の特徴を利用することができる。ディスプレイ１８は、１つ以上のリモートソース（例えば、メディアサーバ、ネットワーク等）から移動電話１２及び／又はヘッドセット１４によりアクセス可能なコンテンツを視覚的に表示するために使用される。表示されたコンテンツは、移動電話１２のメモリ２０（図２）にローカルに格納されるオーディオ及び／又はビデオプレゼンテーション及び／又は移動電話１２から離れて（例えば、リモート記憶装置、メディアサーバ、リモートパーソナルコンピュータ等に）格納されるオーディオ及び／又はビデオプレゼンテーションが含まれる。例えば、そのようなプレゼンテーションは、オーディオ及び／又はビデオファイルを含むマルチメディアファイル、受信したモバイルラジオ信号及び／又はテレビ信号等から得られたものであってもよい。多くの状況において、ビデオプレゼンテーションにはオーディオプレゼンテーションが付随する。例えば、表示されたビデオコンポーネントは「音楽ビデオ」であってもよく、対応するオーディオコンポーネントはビデオコンポーネントと同期することを意図した音楽であってもよい。別の例として、表示されるビデオコンポーネントは受信した移動テレビ信号に対応していてもよく、対応するオーディオコンポーネントはビデオコンポーネントと同期することを意図した音声及び／又は音楽であってもよい。
【００４１】
オーディオコンポーネントは、移動電話１２のスピーカ２２を使用してユーザに同報通信される。あるいは、オーディオコンポーネントは、ヘッドセット１４のスピーカ２４（図２）を使用してユーザに同報通信される。ステレオを聴くために、ヘッドセット１４は一対のスピーカ２４を含む。コンテンツソースから移動電話１２及び／又はヘッドセット１４へのオーディオデータの出力を以下に更に詳細に説明する。
【００４２】
移動電話１２は、種々のユーザ入力動作に対応するキーパッド２６を更に含む。例えばキーパッド２６は、電話番号、電話リスト、連絡先情報、メモ等の英数字情報の入力を可能にする英数字キー２８を含む。更に、一般にキーパッド２６は、発呼するか又は着呼するための「通話送出」キー、通話を終了、すなわち電話を「切る」ための「終話」キー等の特別なファンクションキーを含む。特別なファンクションキーには、従来のように、例えば種々の電話機能、プロファイル、設定等を選択するためにディスプレイ１８に表示されるメニューをナビゲートするためのメニューナビゲーションキーが更に含まれていてもよい。移動電話１２と関連付けられる他のキーには、音量キー、消音キー、電源ＯＮ／ＯＦＦキー、ウェブブラウザ起動キー、カメラキー等が含まれていてもよい。キー又はキーと同様の機能性は、ディスプレイ１８に関連付けられるタッチスクリーンとして組み込まれていてもよい。
【００４３】
移動電話１２は、移動電話１２が一般に別の移動電話又は固定電話である着呼／発呼デバイスとの通話を確立すること及び／又はそのデバイスと信号を交換することを可能にする従来の通話回路網を含む。しかし、着呼／発呼デバイスは別の電話機である必要はなく、インターネットウェブサーバ、コンテンツ提供サーバ等の他のデバイスであってもよい。
【００４４】
図２に、電子機器アセンブリ１０の機能ブロック図を示す。移動電話１２は、移動電話１２の機能及び動作の全体の制御を実行するように構成される主制御回路３０を含む。制御回路３０は、ＣＰＵ、マイクロコントローラ又はマイクロプロセッサ等の処理デバイス３２を含んでいてもよい。処理デバイス３２は、移動電話１２の従来の動作を実行するために、制御回路３０内のメモリ（不図示）及び／又はメモリ２０等の別個のメモリに格納されたコードを実行する。例えばメモリ２０は、バッファ、フラッシュメモリ、ハードドライブ、取り外し可能媒体、揮発性メモリ及び／又は不揮発性メモリであってもよい。更に処理デバイス３２は、移動電話１２の種々の機能を実行するためにコードを実行する。
【００４５】
更に図１及び図２に示すように、移動電話１２は、無線回路３６に結合されたアンテナ３４を含む。無線回路３６は、従来のようにアンテナ３４を介して信号を送受信するための無線周波数送信機及び受信機を含む。移動電話１２は、無線回路３６により送受信されるオーディオ信号を処理するための音声信号処理回路３８を更に含む。従来のように、ユーザが移動電話１２を介して聴いたり話したりすることができるようにするためのスピーカ２２及びマイク４０は、音声処理回路３８に結合される。無線回路３６及び音声処理回路３８は、全体の動作を実行するように制御回路３０にそれぞれ結合されている。
【００４６】
移動電話１２は、制御回路３０に結合された上述のディスプレイ１８及びキーパッド２６を更に含む。移動電話１２は、Ｉ／Ｏインタフェース４２を更に含む。Ｉ／Ｏインタフェース４２は、移動電話１２の底部のマルチエレメントコネクタ等の一般的な移動電話Ｉ／Ｏインタフェースの形態であってもよい。通常と同様に、Ｉ／Ｏインタフェース４２は、移動電話１２内の電源供給ユニット（ＰＳＵ）４４に充電するために移動電話１２を充電器に結合するのに使用される。それに加えて又はその代わりに、Ｉ／Ｏインタフェース４２は、有線パーソナルハンズフリーアダプタ、パーソナルコンピュータ又は他のデバイスにデータケーブル等を介して移動電話１２を接続するのに利用されてもよい。移動電話１２は、時間測定機能を実行するためのタイマ４６を更に含んでいてもよい。そのような機能には、通話時間を測定する機能、時刻及び日付のスタンプの内容を生成する機能等が含まれていてもよい。
【００４７】
移動電話１２は、デジタル写真を撮るためのカメラ４８等の種々の内蔵アクセサリを含む。その写真に対応する画像ファイルは、メモリ２０に格納される。一実施形態において、移動電話１２は、全地球測位衛星（ＧＰＳ）受信機又はガリレオ衛星システム受信機等の位置データ受信機（不図示）を更に含んでいてもよい。
【００４８】
ヘッドセット１４、別の移動電話、コンピュータ等の他のローカルに位置付けられたデバイスとの無線通信を確立するために、移動電話１２は、Ｂｌｕｅｔｏｏｔｈアダプタ等のローカル無線インタフェースアダプタ５０を含む。
【００４９】
ネットワーク系コンテンツとの無線通信を確立するために、移動電話１２は、無線ローカルエリアネットワークインタフェースアダプタ５２を更に含む。ユーザが適切な特権を有し且つ／又は適切に認証された場合に、ＷＬＡＮインタフェースアダプタ５２は、１つ以上のＩＥＥＥ８０２．１１プロトコル（例えば、８０２．１１（ａ）、８０２．１１（ｂ）及び／又は８０２．１１（ｇ）等）と互換性があり、移動電話１２が関連するネットワーク上で固有の識別子（例えば、ＭＡＣ及びＩＰアドレス）を取得し且つそのネットワーク上の１つ以上のデバイスと通信することができることが好ましい。
【００５０】
移動電話１２は、ワイドエリア通信システム（不図示）において動作するように構成されている。システムは、移動電話１２によりかけられた電話及び移動電話１２に対してかけられた電話を管理し、移動電話１２にネットワーク系コンテンツ（例えば、画像ファイル、オーディオファイル、ビデオファイル等）を送信し、且つ任意の他のサポート機能を実行する１つ以上のサーバ又は通話制御要素を含むことができる。サーバは、ネットワーク及び伝送媒体を介して移動電話１２と通信してもよい。伝送媒体は、例えば、通信塔、別の移動電話、無線アクセスポイント、ルータ、衛星等を含む任意の適切なアセンブリ又はデバイスであってもよい。ネットワークの一部には、有線及び／又は無線伝送経路が含まれていてもよい。
【００５１】
ヘッドセット１４は、ヘッドセット１４の機能及び動作の全体の制御を実行するように構成される主制御回路５４を含む。制御回路５４は、ＣＰＵ、マイクロコントローラ又はマイクロプロセッサ等の処理デバイス５６を含んでいてもよい。本明細書において説明されるように、処理デバイス５６は、ヘッドセット１４の動作を実行するために、制御回路５４内のメモリ（不図示）及び／又はメモリ（不図示）等の別個のメモリに格納されたコードを実行する。例えばメモリは、バッファ、フラッシュメモリ、ハードドライブ、取り外し可能な媒体、揮発性メモリ及び／又は不揮発性メモリであってもよい。更に処理デバイス５６は、ヘッドセット１４の種々の機能を実行するためにコードを実行する。
【００５２】
ヘッドセット１４は、ヘッドセット１４と移動電話１２との間に無線インタフェースを確立するために、移動電話１２のローカルインタフェースアダプタ５０と互換性があるローカルインタフェースアダプタ５８を含む。ローカルインタフェースアダプタ５８は、制御回路５４と結合され、ローカルインタフェースアダプタ５８により受信及び／又は送信された情報及び／又はデータを選択的に制御及び処理する。上述したように、ローカルインタフェースアダプタ５８はＢｌｕｅｔｏｏｔｈと互換性があることが好ましい。アダプタ５０とアダプタ５８との間に確立された無線インタフェースは、移動電話１２とヘッドセット１４との間でオーディオデータ、コマンド、制御及び／又は状態情報等のデータを交換するために使用されてもよい。Ｂｌｕｅｔｏｏｔｈ無線通信インタフェースの基本的な動作は当業者には理解されうるため、本明細書では簡便化し詳細な説明は省略する。
【００５３】
ヘッドセット１４は、無線ローカルエリアネットワーク（ＷＬＡＮ）インタフェースアダプタ６０を更に含む。ＷＬＡＮインタフェースアダプタ６０は制御回路５４に結合され、ＷＬＡＮインタフェースアダプタ６０により受信及び／又は送信された情報及び／又はデータを選択的に制御及び処理する。ユーザが適切な特権を有し且つ／又は適切に認証された場合に、ＷＬＡＮアダプタ６０は、１つ以上のＩＥＥＥ８０２．１１プロトコル（例えば、８０２．１１（ａ）、８０２．１１（ｂ）及び／又は８０２．１１（ｇ）等）と互換性があり、ヘッドセット１４が関連するネットワーク上で固有のアドレス（例えば、ＩＰアドレス）を取得し且つそのネットワークと関連する１つ以上のデバイスと通信可能であることが好ましい。
【００５４】
ヘッドセット１４は、オーディオデータを管理するオーディオデータ処理デバイス６２を更に含む。例えばオーディオデータ処理デバイス６２は、ヘッドセット１４に結合されたマイク６６から受信されるオーディオ信号を符号化する符号器６４を含む。符号化オーディオデータは、電話通話の一部として使用するために移動電話１２に送信される。
【００５５】
更にオーディオデータ処理デバイス６２は、復号器６８及びデータバッファ７０を含み、移動電話１２及び／又はネットワークと関連する１つ以上のデバイスから受信されるオーディオデータを処理する。
【００５６】
受信されるオーディオデータは、電話通話に関連する入力オーディオデータであってもよい。他の状況において、ヘッドセット１４により受信されるオーディオデータは、移動電話１２により再生されるオーディオファイルから得られるオーディオ（例えば、音楽、サウンド、音声等）であってもよい。ヘッドセット１４により受信されるオーディオデータは、ネットワークと関連する１つ以上のデバイスから発信されるネットワーク系コンテンツであってもよい。以下に説明するように、ネットワーク系コンテンツは、ユーザが聴くためにヘッドセット１４に直接送信及び／又はストリームされる。更に他の状況において、オーディオデータは、移動電話１２のディスプレイ１８上に表示されるビデオコンテンツと関連付けられていてもよい。例えば、メモリ２０に格納されたオーディオコンポーネント及び／又はネットワーク上にリモートに格納されたオーディオコンポーネント（例えば、ネットワーク系コンテンツ）を含むビデオファイルは、移動電話１２によりレンダリングされる。
【００５７】
そのような状況において、受信ビデオ信号又はビデオファイルのビデオコンポーネントは、例えば制御回路３０又は専用ビデオ復号器（不図示）により復号化され、閲覧用としてディスプレイ１８に出力されるビデオ信号を生成する。受信ビデオ信号又はビデオファイルのオーディオコンポーネントは復号化されてスピーカ２２にオーディオ信号として出力され、且つ／又はオーディオコンポーネントはスピーカ２４により同報通信されるオーディオ信号に復号化するためにヘッドセット１４にオーディオデータとして送信される。別の実施形態において、受信ビデオ信号又はビデオファイルのオーディオコンポーネントは、スピーカ２４により同報通信されるオーディオ信号に復号化するために、移動電話１２に送信することなくネットワークと関連する１つ以上のデバイスからヘッドセット１４にオーディオデータとして直接送信されてもよい。
【００５８】
以下に詳細に説明するように、移動電話１２からヘッドセット１４に送信され且つ／又はネットワークに関連する１つ以上のデバイスからヘッドセット１４に送信されるオーディオデータは、一般にメディアパケットの形式である。各メディアパケットは、約５ミリ秒のオーディオデータ等の多量のオーディオデータを含む。オーディオデータは、バッファ６２によりバッファリングされ、スピーカ２４に出力するために復号器６０によりオーディオ信号に復号化される。オーディオデータは、モノラルサウンド、ステレオサウンド又はサラウンドサウンドであってもよく、あるいは任意の他の適切なオーディオ形式で構成されてもよいことは理解されよう。
【００５９】
本発明に係る好適なネットワーク１００を図３に示す。ネットワーク１００は、１つ以上の通信媒体１０２、１つ以上のコンテンツサーバ１０４（例えば、１０４Ａ、１０４Ｂ）、ワイドエリアネットワーク（ＷＡＮ）１０５（例えば、インターネット）、ローカルエリアネットワーク（ＬＡＮ）１０６、少なくとも１つの無線ＬＡＮアクセスポイント（ＡＰ）１０８、ＷＡＮ基地局１０７、移動電話１２及びヘッドセット１４を含む。コンテンツサーバ１０４Ａは、紙面の都合上、ＬＡＮ１０６外にあるものとして示している。特定のネットワークトポロジに依存して、コンテンツサーバ１０４ＡがＬＡＮ１０６内に配置されてもよいことは、当業者には容易に理解されよう。また、好適なＬＡＮ１０６が無線ローカルエリアネットワーク、ワイドエリアネットワーク、パーソナルエリアアクセス技術（例えば、無線ローカルエリアネットワーク、セルラネットワーク、ＷｉＭａｘ、ウルトラワイドバンドネットワーク等）及び／又はパブリックネットワーク（例えば、インターネット）であってもよいことは、当業者には理解されよう。
【００６０】
通信媒体１０２は、電子デバイスが情報又はデータを交換できるようにする任意の媒体の形態をとることができる。例えば通信媒体１０２は、イーサネット（登録商標）等の有線通信媒体であってもよく、あるいはＩＥＥＥ８０２．１１（ａ）、８０２．１１（ｂ）又は８０２．１１（ｇ）等の無線通信媒体であってもよい。更に、図３に示すように、通信媒体１０２は、有線通信媒体及び無線通信媒体の組合せであってもよい。本明細書で説明する機能性を実現する任意の通信媒体が本発明の範囲内であることは、当業者には容易に理解されよう。通信媒体１０２は、例えばＴＣＰ／ＩＰ及びＵＰｎＰ等を含む種々のネットワークプロトコルをサポートすることが可能であることが好ましい。
【００６１】
図３に示すように、移動電話１２は、コンテンツサーバ１０４Ａからのネットワーク系コンテンツをアクセスポイント１０８を介して受信する。更に、移動電話は、コンテンツサーバＢからのネットワーク系コンテンツを基地局１０７及び／又はアクセスポイント１０８を介して受信する。ヘッドセット１４も、コンテンツサーバ１０４Ａからのネットワーク系コンテンツをアクセスポイント１０８を介して受信する。更に、ヘッドセット１４は、コンテンツサーバ１０４Ｂからのネットワーク系コンテンツをインターネット１０５及びローカルエリアネットワーク１０６を介してアクセスポイント１０８から受信する。
【００６２】
図４は、好適なコンテンツサーバ１０４（例えば、コンテンツサーバＡ、コンテンツサーバＢ等）を示す概略ブロック図である。コンテンツサーバ１０４は、任意の種類のサーバであってもよい。コンテンツサーバ１０４は、ＩＰ、ＴＣＰ、ＵＤＰ、ＲＴＰ及びＨＴＴＰ等を含むインターネット技術標準化委員会（ＩＥＴＦ）により開発されたプロトコルと互換性のあるメディアサーバであることが好ましい。一般にコンテンツサーバ１０４は、プロセッサ１１０、メモリ１１２、データ記憶媒体１１４、ローカルインタフェース１１６、ビデオ／入出力インタフェース１１８及び種々の通信インタフェース１２０を有している。コンテンツサーバ１０４は、オプションとしてディスプレイ１２２、キーボード１２４及びユーザ入力装置１２６（例えば、コンピュータのマウス）を含んでいてもよい。
【００６３】
コンテンツサーバ１０４は、本発明の面に係る１つ以上のコンピュータアプリケーション１２８を実行することができる。一実施形態において、コンピュータアプリケーション１２８は、関連するユーザから要求されると、ユーザが認識可能な形式でマルチメディアコンテンツ（例えば、オーディオファイル、ビデオファイル、写真等）を送信できる少なくとも１つのオーディオ及び／又はビデオプレーヤを含む。マルチメディアコンテンツは、データ記憶媒体１１４又はコンテンツサーバ１０４に通信可能に結合されるリモート記憶媒体（不図示）に格納される。
【００６４】
上述したように、ネットワーク系コンテンツ（本明細書中、マルチメディアコンテンツとも呼ばれる）は、任意の形式（例えば、オーディオ、ビデオ及び写真等）をとってもよく、任意の適切な形式（例えば、ＭＰＥＧ、ＡＶＩ、ＭＰ３、ＪＰＧ及びＴＩＦＦ）で格納されてもよい。コンテンツサーバ１０４は、通信ソフトウェアを格納する。通信ソフトウェアは、コンテンツサーバ１０４及び／又はリモート記憶媒体に格納されたマルチメディアコンテンツを要求デバイス及び／又は要求デバイスと関連付けられる周辺装置（例えば、ヘッドセット１４）によりローカル及び／又はリモートでレンダリングできる形式に変換することができる。あるいは、コンテンツサーバ１０４は、周知の形式でマルチメディアコンテンツを提供しており、要求デバイス及び／又は要求デバイスと関連付けられる周辺装置は、任意の必要な変換を実行することが可能である。
【００６５】
コンピュータアプリケーション１２８は、一般に実行可能なコードのコンパイルを含む１つ以上の追加のコンピュータアプリケーション又は１つ以上のサブコンピュータアプリケーション１３０に論理的に関連付けられていてもよく、あるいはそれらを呼び出してもよい。一実施形態において、コンピュータアプリケーション１２８及び／又はサブアプリケーション１３０は１つ以上のコンピュータプログラム（例えば、実行可能なコードのコンパイルを含む１つ以上のソフトウェアアプリケーション）として実現される。コンピュータプログラムは、データ記憶媒体、あるいは磁気記憶装置又は光学記憶装置（例えば、ハードディスク、ＣＤ−ＲＯＭ、ＤＶＤ−ＲＯＭ等）等の他のコンピュータ可読媒体に格納することができる。
【００６６】
コンピュータアプリケーション１２８及び関連するサブアプリケーション１３０を実行するために、コンテンツサーバ１０４は、特定された論理ルーチンを実行する命令を実行するのに使用される１つ以上のプロセッサ１１０を含む。コンテンツサーバ１０４は、クライアントサーバアーキテクチャに基づいていることが好ましく、複数のクライアントに対応する。しかし、本明細書で説明する機能性を有するコンピュータの任意の組合せが本発明の範囲内に入ることは、当業者には容易に理解されよう。コンテンツサーバ１０４は、ＩＰ、ＴＣＰ、ＵＤＰ、ＲＴＰ及びＨＴＴＰ等を含むインターネット技術標準化委員会（ＩＥＴＦ）により開発された１つ以上のプロトコルと互換性のあるメディアサーバであることが好ましい。
【００６７】
コンテンツサーバ１０４は、データ、ソフトウェア、論理ルーチン命令、コンピュータプログラム、ファイル、オペレーティングシステム命令及びマルチメディアコンテンツ等を格納するメモリ１１２を有する。図４に示すように、コンピュータアプリケーション１２８及びサブアプリケーション１３０はメモリ１１２に格納される。メモリ１１２はいくつかのデバイスを含むことができ、例えば揮発性メモリ構成要素及び不揮発性メモリ構成要素を含む。従って、メモリ１１２には、例えばランダムアクセスメモリ（ＲＡＭ）、読み出し専用メモリ（ＲＯＭ）、ハードディスク、フロッピディスク、コンパクトディスク（例えば、ＣＤ  ＲＯＭ、ＤＶＤ  ＲＯＭ、ＣＤ  ＲＷ等）、テープ及び／又は他のメモリ構成要素、並びにそれらメモリの種類に対する関連するドライブ及びプレーヤが含まれる。プロセッサ１１０、メモリ１１２及びデータ記憶媒体１１４は、ローカルインタフェース１１６を使用して結合される。ローカルインタフェース１１６は、例えば制御バス、ネットワーク又は他のサブシステムに関連するデータバスであってもよい。
【００６８】
コンテンツサーバ１０４は、種々のビデオ／入出力インタフェース１１８及び１つ以上の通信インタフェース１２０を有する。インタフェース１１８は、ディスプレイ１２２（例えば、ＣＲＴディスプレイ、ＬＣＤディスプレイ、プラズマディスプレイ等）、キーボード１２４及びユーザ入力装置１２６等の種々の周辺装置にコンテンツサーバ１０４を結合するために使用される。通信インタフェース１２０は、例えばモデム、ネットワークインタフェースカード及び／又は無線ネットワークインタフェースカードから構成される。通信インタフェース１３０により、コンテンツサーバ１０４は上述のようにインターネット、ワイドエリアネットワーク（ＷＡＮ）、ローカルエリアネットワーク（ＬＡＮ）、直接データリンク、あるいは同様の有線システム（例えば、イーサネット（登録商標））又は無線システム（例えば、８０２．１１対応プロトコル）等の外部ネットワークを介してネットワーク系コンテンツを送受信することができる。
【００６９】
図５は、本発明の１つの面に係る方法１５０を示している。方法１５０において、コンテンツサーバ１０４（例えば、コンテンツサーバ１０４Ａ及び／又はコンテンツサーバ１０４Ｂ）上のアプリケーションは、利用可能なコンテンツだけでなく、それをレンダリングするために利用可能なデバイスを認識しているものとする。使用例の一例は、移動電話のユーザが、コンテンツサーバ１０４上に格納されたコンテンツを無線ヘッドセット１４を使用して聴きたい場合である。無線ヘッドセット１４はステレオヘッドセットであることが好ましい。方法１５０において、全てのデバイス（例えば、移動電話１２、ヘッドセット１４及びネットワーク１００）は各自の接続及び／又はネットワークに適切に関連付けられているものとする。
【００７０】
ステップ１５２において、ユーザは、コンテンツサーバ１０４上で利用可能なサービスを移動電話１２を介して閲覧する。ステップ１５４において、利用可能なサービス及び／又はデバイスのＩＤは、アクセスポイント１０８を通じてＷＬＡＮインタフェースアダプタ５２を介して移動電話１２に提供される。ステップ１５６において、ユーザは、自分が聴きたい及び／又はレンダリングしたいマルチメディアコンテンツを含むコンテンツサーバ１０４（例えば、メディアサーバ）を識別する。ステップ１５８において、ユーザは、所望のオーディオレンダリングデバイス（例えば、ステレオヘッドセット１４及び／又は移動電話１２）を選択する。
【００７１】
ステップ１６０において、レンダリングデバイスが設定される。移動電話１２によるレンダリングデバイスの設定は、任意の形態をとることができる。例えば、設定は、ＷＬＡＮインタフェースアダプタ５２及び６０をそれぞれ通じて、あるいはローカルインタフェースアダプタ５０及び５８をそれぞれ通じて、あるいは移動電話１２及び／又はヘッドセット１４を介して手動で設定することにより実行される。ユーザがヘッドセット１４の１つ以上の動作のうちの１つを適切に制御できるようにするために、移動電話１２内のアプリケーションはＢｌｕｅｔｏｏｔｈを介してヘッドセット１４と通信可能であることが好ましい。
【００７２】
ステップ１６２において、選択されたオーディオコンテンツは、選択されたコンテンツサーバ１０４からアクセスポイント１０８を介してヘッドセット１４のＷＬＡＮインタフェースアダプタ６０にストリームされる。このストリーミングステップは、一般に、ＩＥＴＦ規格（すなわち、ＳＩＰ、ＳＤＰ、ＲＴＰ及びＵＤＰ等）により特定されるリアルタイムメディアプロトコルを使用して開始される。一実施形態において、ヘッドセット１４は、Ｂｌｕｅｔｏｏｔｈプロトコルを介して移動電話１２により送出されたユニバーサルリソースロケータ（ＵＲＬ）リンクを使用して、ストリーミングセッションを開始するようにコンテンツサーバ１４０に要求する。別の実施形態において、コンテンツサーバ１０４は、移動電話１２と交換されたか又はデバイスレジストリに格納された情報に基づいて、ヘッドセット１４に対するセッションを確立する。
【００７３】
ステップ１６４において、オーディオコンテンツは、スピーカ２４を介してユーザが認識可能な形式で出力及び／又はレンダリングされる。ストリームされたオーディオコンテンツのオーディオ再生は、ローカルインタフェースアダプタ５０、５８（例えば、Ｂｌｕｅｔｏｏｔｈインタフェース）を介して移動電話により制御される。そのような再生は、例えば一時停止、巻戻し、早送り、スキップ、停止等を含む任意の所望の動作を制御する。
【００７４】
方法１５０に関して、好適な実施形態においては、移動電話１２及びヘッドセット１４はアクセスポイント１０８と直接関連する。通常、移動電話１２及びヘッドセット１４は、ＷＬＡＮ通信（すなわち、インフラストラクチャモード）の場合は互いに対して直接関連しない。このように、移動電話１２は他の用途（例えば、電話通話の送受信、ｖｏｉｃｅ  ｏｖｅｒ  ＩＰ（ＶｏＩＰ）の受信、電子メールアプリケーションへのアクセス、インターネットの閲覧及びインスタントメッセージの送出及び受信等）のためにＷＬＡＮ１００との通信を続行することができる。
【００７５】
別の実施形態において、移動電話１２及びヘッドセット１４は、「アドホック」モードにおいてＷＬＡＮを介して直接通信する。一般に、アドホックモードにおける通信では、ネットワーク１００内のもう１つの関連するデバイスから情報及び／又はデータを受信するために、各デバイスがアクセスポイント１０８と定期的に繰り返し関連付けられる必要がある。
【００７６】
実際には、上述のシステム及び方法が実現不可能な状況となる場合がある。例えば、移動電話１２及び／又はヘッドセット１４がネットワークの場所を確認できない場合、利用可能なネットワークと適切に関連できない場合及び／又は移動電話１２又はヘッドセット１４のいずれかがネットワークとの関連後に所望のメディアサービスにアクセスできない場合である。これらの例において、本発明の１つの面は第２の通信モードを含む。第２の通信モードにおいて、ローカルインタフェースアダプタ５０及び５８は、移動電話１２にローカルに格納されたコンテンツの制御及びメディアストリーミングの双方のためのＢｌｕｅｔｏｏｔｈリンクを確立するために使用される。
【００７７】
本明細書において本発明の特定の実施形態を開示する。本発明が他の環境において他の応用例を有してもよいことは、当業者には容易に認識されるであろう。実際には、多くの実施形態及び実現例が可能である。添付の請求の範囲は、本発明の範囲を上述の特定の実施形態に限定することを意図したものではない。更に、「〜する手段」という記述は、要素及び請求項を解釈する手段＋機能を含むことを意図するものであり、「〜する手段」という記述を特に使用しない要素は、請求項が「手段」という用語を含む場合でも手段＋機能の要素として解釈されることを意図したものではない。尚、明細書では特定の順番で行なわれる方法ステップを列挙したが、それらのステップは任意の順番で又は同時に実行されてもよい。
【００７８】
本発明のコンピュータプログラム要素は、ハードウェア及び／又はソフトウェア（ファームウェア、常駐ソフトウェア、マイクロコード等を含む）で実現されてもよい。本発明は、命令実行システムにより使用するか又はそれと関連して使用するために、コンピュータ使用可能又はコンピュータ可読プログラム命令、「コード」又は「コンピュータプログラム」を実装したコンピュータ使用可能記憶媒体又はコンピュータ可読記憶媒体により実現されるコンピュータプログラム製品の形態をとってもよい。本明細書の説明において、コンピュータ使用可能媒体又はコンピュータ可読媒体は、命令実行システム、装置又はデバイスにより使用されるか又はそれと関連して使用されるためにプログラムを含有、格納、通信、伝播又は転送できる任意の媒体であってもよい。コンピュータ使用可能媒体又はコンピュータ可読媒体は、例えば電子、磁気、光、電磁気、赤外線又は半導体のシステム、装置、デバイス、又はインターネット等の伝播媒体であってもよいが、それらに限定されない。尚、コンピュータ使用可能媒体又はコンピュータ可読媒体は、プログラムが印刷された紙又は別の適切な媒体であってもよい。これは、プログラムが例えば紙又は他の媒体を光走査することにより電子的に取り込まれ、その後適切な方法でコンパイル、解釈又は処理可能であるからである。コンピュータプログラム製品、並びに本明細書で説明した任意のソフトウェア及びハードウェアは、実施形態において本発明の機能を実行する種々の手段を形成する。
【図１】
2009543446.tif 000003
【図２】
2009543446.tif 000004
【図３】
2009543446.tif 000005
【図４】
2009543446.tif 000006
【図５】
2009543446.tif 000007
【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
マルチメディアコンテンツをレンダリングする方法であって、
１つ以上のデバイス（１０４）を含む無線ローカルエリアネットワークにおいて、移動電話（１２）の第１の固有のアドレスを取得する工程と、
前記無線ローカルエリアネットワークにおいて、マルチメディアコンテンツを受信するために第１のインタフェースアダプタ（６０）を介して前記無線ローカルエリアネットワークに通信可能に結合され且つ前記移動電話から制御情報を受信するために第２のインタフェースアダプタ（５８）を介して前記移動電話に通信可能に更に接続されるレンダリングデバイス（１４）の第２の固有のアドレスを取得する工程と、
前記移動電話（１２）を介して前記無線ローカルエリアネットワーク上の前記デバイス（１０４）のうちの少なくとも１つからの情報を要求する工程と、
情報に対する前記要求に応答して前記移動電話（１２）が情報を受信する工程と、
前記受信した情報に基づいて、レンダリング対象のマルチメディアコンテンツを選択する工程と、
前記選択されたマルチメディアコンテンツをレンダリングするための前記レンダリングデバイス（１４）を選択する工程と、
前記第１のインタフェースアダプタを介して、前記レンダリングデバイスにて前記選択されたマルチメディアコンテンツを受信する工程と、
前記選択されたマルチメディアコンテンツを前記選択されたレンダリングデバイス（１４）上にレンダリングする工程と
を有することを特徴とする方法。
【請求項２】
前記第１のインタフェースアダプタは、アクセスポイントからマルチメディアコンテンツを受信し、前記第２のインタフェースアダプタは、前記移動電話から制御情報を受信することを特徴とする請求項１に記載の方法。
【請求項３】
前記情報は、前記無線ローカルエリアネットワーク上で利用可能なサービス及びデバイスのＩＤのいずれか一方または両方を含むことを特徴とする請求項１又は２に記載の方法。
【請求項４】
前記レンダリングデバイスを選択する工程は、更に、前記第１のインタフェースアダプタを介して前記アクセスポイントから前記選択されたマルチメディアコンテンツを受信するように、前記レンダリングデバイスを構成する工程を有することを特徴とする請求項１乃至３のいずれか１項に記載の方法。
【請求項５】
前記第１のインタフェースアダプタは、第１の無線プロトコルを用いて前記アクセスポイントと通信するように構成され、前記第２のインタフェースアダプタは、第２の無線プロトコルを用いて前記移動電話と通信するように構成されていることを特徴とする請求項１乃至４のいずれか１項に記載の方法。
【請求項６】
前記マルチメディアコンテンツは、前記レンダリングデバイス上にレンダリングするための可聴コンポーネントと、前記移動電話（１２）上に表示するためのビデオコンポーネントとを更に含むことを特徴とする請求項１乃至５のいずれか１項に記載の方法。
【請求項７】
前記レンダリングデバイス（１４）は、前記第１のインタフェースアダプタを介してマルチメディアコンテンツを、前記第２のインタフェースアダプタを介して制御情報を、それぞれ同時に受信するように構成されていることを特徴とする請求項１乃至６のいずれか１項に記載の方法。
【請求項８】
前記レンダリングデバイスの第２のインタフェースアダプタを介して、前記移動電話（１２）から直接送信された制御信号を、前記レンダリングデバイス（１４）が受信する工程を更に含むことを特徴とする請求項７に記載の方法。
【請求項９】
前記制御信号は、前記選択されたレンダリング対象情報に少なくとも部分的に基づく前記レンダリングデバイスの設定を含むことを特徴とする請求項１乃至８のいずれか１項に記載の方法。
【請求項１０】
前記レンダリングデバイス（１４）が前記無線ローカルエリアネットワーク上の１つ以上の関連デバイスにユニバーサルリソースロケータリンクを使用してセッションを開始するように要求する工程を更に含むことを特徴とする請求項１乃至９のいずれか１項に記載の方法。
【請求項１１】
前記レンダリングデバイス（１４）はヘッドセットであることを特徴とする請求項１乃至１０のいずれか１項に記載の方法。
【国際調査報告】
2009543446.tif 000008
2009543446.tif 000009
2009543446.tif 000010
2009543446.tif 000011
2009543446.tif 000012